(57)【要約】【課題】録画再生装置と通信可能なテレビジョン受像機において，大容量の記憶手段等の部品の増加を伴わずにタイムシフト再生機能を実現できるテレビジョン受像機を提供すること。【解決手段】チャンネルを指定して放送番組のリング録画を行うことを録画再生装置Ｙに対しＣＥＣインターフェースを通じて指示し（Ｓ１０４），タイムシフト再生操作の検知に応じて，リング録画データに基づくタイムシフト再生を行うことを録画再生装置Ｙに対しＣＥＣインターフェースを通じて指示し（Ｓ１０６），その指示に応じて録画再生装置ＹからＨＤＭＩ受信部を通じて入力されるタイムシフト再生の映像信号に基づく映像を映像表示部に表示させる（Ｓ１０８）。また，リング録画データにおけるタイムシフト再生の対象となった部分をそのリング録画データとは別に記憶手段に保存することを録画再生装置Ｙに対して指示する（Ｓ１１０）。【選択図】図２
2009027533.tif 000002
【特許請求の範囲】
【請求項１】
視聴対象として選択された選局チャンネルの放送番組の映像を表示する映像表示部と，放送番組のリング録画を行う機能及び該リング録画により記憶手段に記録されるリング録画データに基づくタイムシフト再生を行う機能を備えた録画再生装置との間で通信を行う通信手段と，前記録画再生装置から映像信号を入力する映像信号入力手段とを備えたテレビジョン受像機であって，
チャンネルを指定して放送番組のリング録画を行うことを前記録画再生装置に対し前記通信手段を通じて指示するリング録画指示手段と，
所定の操作部に対するタイムシフト再生操作の検知に応じて，前記リング録画データに基づくタイムシフト再生を行うことを前記録画再生装置に対し前記通信手段を通じて指示するタイムシフト再生指示手段と，
前記タイムシフト再生指示手段による指示に応じて前記録画再生装置から前記映像信号入力手段を通じて入力される前記タイムシフト再生の映像信号に基づくタイムシフト再生映像を前記映像表示部に表示させるタイムシフト再生映像表示制御手段と，
を具備してなることを特徴とするテレビジョン受像機。
【請求項２】
前記リング録画データにおける前記タイムシフト再生の対象となった部分を前記リング録画データとは別に記憶手段に保存することを前記録画再生装置に対し前記通信手段を通じて指示するタイムシフト再生データ保存指示手段を具備してなる請求項１に記載のテレビジョン受像機。
【請求項３】
前記リング録画指示手段において前記選局チャンネルの放送番組のリング録画を行うことを前記録画再生装置に対して指示する選局チャンネルリング録画指示手段と，
前記選局チャンネルの変更に応じて，前記リング録画の対象とする放送番組のチャンネルを変更することを前記録画再生装置に対し前記通信手段を通じて指示するチャンネル変更指示手段と，
を具備してなる請求項１又は２のいずれかに記載のテレビジョン受像機。
【請求項４】
所定の操作部に対する起動操作の検知に応じて前記映像表示部に対する通電が開始されるときに，前記リング録画を実行可能な通電状態へ移行することを前記録画再生装置に対し前記通信手段を通じて指示する起動指示手段を具備してなる請求項３に記載のテレビジョン受像機。
【請求項５】
前記選局チャンネルリング録画指示手段が，前記起動指示手段による指示の実行と併せてリング録画を行うことを指示する起動時リング録画指示手段を具備してなる請求項４に記載のテレビジョン受像機。
【請求項６】
前記選局チャンネルリング録画指示手段が，所定の操作部に対するリング録画開始操作の検知に応じてリング録画を行うことを指示する開始操作検知時リング録画指示手段を具備してなる請求項３に記載のテレビジョン受像機。
【請求項７】
所定の操作部に対する操作に応じてリング記録を行うチャンネル及び録画開始時期を設定するリング録画条件設定手段と，
前記リング録画指示手段において前記リング録画条件設定手段により設定された前記チャンネル及び録画開始時期を指定して放送番組のリング録画を行うことを前記録画再生装置に対して指示する予約リング録画指示手段と，
を具備してなる請求項１〜６のいずれかに記載のテレビジョン受像機。
【請求項８】
前記タイムシフト再生映像表示制御手段が，前記タイムシフト再生映像を前記映像表示部に既に表示中の放送番組の映像と併せて表示させてなる請求項１〜７のいずれかに記載のテレビジョン受像機。
【請求項９】
前記タイムシフト再生映像表示制御手段が，前記タイムシフト再生映像を前記映像表示部に既に表示中の映像から切り替えて表示させてなる請求項１〜７のいずれかに記載のテレビジョン受像機。
【請求項１０】
前記通信手段及び前記映像信号入力手段が，ＨＤＭＩ規格に準拠した信号伝送を行うものである請求項１〜９のいずれかに記載のテレビジョン受像機。
【発明の詳細な説明】
【技術分野】
【０００１】
本発明は，放送番組の映像を表示する映像表示部及び録画再生装置との間で通信を行う通信手段並びにその録画再生装置から映像信号を入力する映像信号入力手段を備えたテレビジョン受像機に関するものである。
【背景技術】
【０００２】
テレビジョン受像機のユーザ（視聴者）は，放送番組を視聴中に特定のシーンの映像（例えば，スポーツ番組における得点シーンの映像や映画の番組におけるクライマックスシーンの映像等）を複数回視聴したいと思うことがある。
このよなニーズに対し，例えば，特許文献１には，最新の数秒分の放送番組の録画データを記憶手段に逐次記録する処理（いわゆるリング録画）を行いつつ，そのリング録画処理により記録された録画データに基づく再生（後述するタイムシフト再生）を行い，その再生映像を映像表示部に表示させるリプレイ機能を備えたテレビジョン受像機が示されている。
また，昨今の録画再生装置は，ハードディスクやＤＶＤなどのランダムアクセス可能なデータ記録媒体に録画データ（デジタルデータ）を記録（録画）しつつ，その録画の終了を待たずに，その録画中データに基づく映像及び音声を再生するタイムシフト再生（いわゆる追っかけ再生）を行う機能を備えているものも多い。
【０００３】
一方，昨今のテレビジョン受像機は，録画再生装置などの外部装置との間の信号伝送手段として，ＨＤＭＩインターフェースを備えるものが増えつつある。
ＨＤＭＩインターフェースは，例えば特許文献２に示されるように，テレビジョン受像機（テレビジョン受像機の典型例）と録画再生装置やセットトップボックス（ＳＴＢ）との間で信号伝送を行う手段の１つであり，ＨＤＭＩ規格に準拠した信号伝送手段である。このＨＤＭＩインターフェースは，外観上１本にまとめられたケーブルによってデジタルの映像信号及び音声信号を同時に伝送でき，シンプルな配線と劣化のない信号伝送とを実現できる。ここで，ＨＤＭＩインターフェースは，符号化されていない（非圧縮の）映像信号及び音声信号を伝送（ベースバンド方式で伝送）するため，機器間における信号の符号化方式の違いに影響されず，拡張性及び永続性（将来，新たな符号化方式を採用する機器とも接続できる可能性）に優れている。
また，ＨＤＭＩ規格は，さらにその中でＣＥＣ（Consumer Electronics Control）規格が規定されており，ＨＤＭＩインターフェースは，そのＣＥＣ規格に準拠した信号伝送ライン（以下，ＣＥＣラインという）を内包した信号伝送手段として構成される。このＣＥＣラインを内包するＨＤＭＩインターフェースは，映像信号及び音声信号の伝送に加え，ＣＥＣラインを通じてその他の情報（制御情報など）を伝送することが可能である。なお，ＨＤＭＩインターフェースは，映像信号及び音声信号については一方向にのみ伝送可能であるが，ＣＥＣラインを通じた情報伝送は双方向で可能である。
【特許文献１】特開平９−８３９５８号公報
【特許文献２】特開２００４−２０８２９０号公報
【発明の開示】
【発明が解決しようとする課題】
【０００４】
ところで，特許文献１に示されるように，テレビジョン受像機が，タイムシフト再生を実現するための録画及び再生の処理手段や録画データの記憶手段を備えると，装置構成の複雑化を招き，ひいてはコスト増を招くという問題点があった。特に，視聴中の放送番組がハイビジョン放送のように高精細な映像の放送番組である場合，その録画データのサイズが非常に大きくなるため，タイムシフト再生を実現するためだけに非常に大容量の記憶手段が必要となるという問題点があった。
従って，本発明は上記事情に鑑みてなされたものであり，その目的とするところは，録画再生装置と通信可能なテレビジョン受像機において，大容量の記憶手段等の部品の増加を伴わずにタイムシフト再生機能を実現できるテレビジョン受像機を提供することにある。
【課題を解決するための手段】
【０００５】
上記目的を達成するために本発明に係るテレビジョン受像機は，次の（１）〜（６）に示す各構成要素を備えるものである。
（１）視聴対象として選択されたチャンネル（以下，選局チャンネルという）の放送番組の映像を表示する映像表示部。
（２）放送番組のリング録画を行う機能及びそのリング録画により記憶手段に記録されるリング録画データに基づくタイムシフト再生を行う機能を備えた録画再生装置との間で通信を行う通信手段。
（３）前記録画再生装置から映像信号を入力する映像信号入力手段。
（４）チャンネルを指定して放送番組のリング録画を行うことを前記録画再生装置に対し前記通信手段を通じて指示するリング録画指示手段。
（５）所定の操作部に対するタイムシフト再生操作の検知に応じて，前記リング録画データに基づくタイムシフト再生を行うことを前記録画再生装置に対し前記通信手段を通じて指示するタイムシフト再生指示手段。
（６）前記タイムシフト再生指示手段による指示に応じて前記録画再生装置から前記映像信号入力手段を通じて入力される前記タイムシフト再生の映像信号に基づくタイムシフト再生映像を前記映像表示部に表示させるタイムシフト再生映像表示制御手段。
なお，前記通信手段及び前記映像信号入力手段の典型例は，ＨＤＭＩ規格に準拠した信号伝送を行う通信手段及び映像信号入力手段である。ここで，ＨＤＭＩ規格に準拠した通信手段とは，ＣＥＣ規格に準拠した信号伝送手段のことを意味する。
【０００６】
本発明に係るテレビジョン受像機は，一般的なテレビジョン受像機が備える前記（１）〜（３）の各構成要素を有効活用することにより，接続された外部の録画再生装置にリング録画及びタイムシフト再生を実行させることによってタイムシフト再生機能を実現するものである。また，録画再生装置は，一般に，リング録画やタイムシフト再生を行うための構成（録画データを記憶する大容量の記憶手段（ハードディスクドライブがその典型例）及び録画手段並びに再生手段）を備えている。このように，本発明に係るテレビジョン受像機は，大容量の記憶手段等の部品の増加を伴わずにタイムシフト再生機能を実現するものである。
また，本発明に係るテレビジョン受像機が，さらに次の（７）に示す構成要素を備えれば好適である。
（７）前記リング録画データにおける前記タイムシフト再生の対象となった部分を前記リング録画データとは別に記憶手段に保存することを前記録画再生装置に対し前記通信手段を通じて指示するタイムシフト再生データ保存指示手段。
これにより，当該テレビジョン受像機のユーザは，放送番組を視聴中に，放送番組におけるお気に入りのシーンの部分について編集された録画データを前記録画再生装置に記憶させることができる。
【０００７】
また，本発明に係るテレビジョン受像機が，次の（８）及び（９）に示す構成要素をさらに備えることも考えられる。
（８）前記リング録画指示手段において前記選局チャンネルの放送番組（即ち，映像表示対象となっている放送番組）のリング録画を行うことを前記録画再生装置に対して指示する選局チャンネルリング録画指示手段。
（９）前記選局チャンネルの変更に応じて，前記リング録画の対象とする放送番組のチャンネルを変更することを前記録画再生装置に対し前記通信手段を通じて指示するチャンネル変更指示手段。
これら（８）及び（９）に示される構成要素を備えたテレビジョン受像機は，そのユーザが，視聴中の放送番組（即ち，前記選局チャンネルの放送番組）のあるシーンについてタイムシフト再生（リプレイ）を実行させることを望む場合に好適であり，リング記録の対象とするチャンネル（放送チャンネル）を指定する特別な操作を行う手間が生じない。また，当該テレビジョン受像機における選局チャンネルと前記録画再生装置におけるリング録画の対象となるチャンネルとが常に一致した状態となり，ユーザが視聴中の放送番組のあるシーンについてタイムシフト再生を実行させたいと思った場合に，その放送番組のリング記録がなされていないという事態の発生を回避できる。
ところで，デジタル放送に対応したテレビジョン受像機や録画再生装置は，映像信号の処理を実行するデジタル機器の起動に比較的長い時間を要するため，リング録画を直ちに開始できない待機状態からリング録画を直ちに開始できる状態への移行に比較的長い時間を要する。このため，録画再生装置は，前記待機状態であるときにリング録画の実行やタイムシフト再生の実行の指示を受けても指示に応じた処理をしばらくの間開始できず，ユーザの望むタイミングでのタイムシフト再生（リプレイ）を実行できない事態が生じ得る。
そこで，本発明に係るテレビジョン受像機が，さらに，所定の操作部に対する起動操作の検知に応じて前記映像表示部に対する通電が開始されるときに，前記リング録画を実行可能な通電状態へ移行することを前記録画再生装置に対し前記通信手段を通じて指示する起動指示手段を備えることが考えられる。
この場合，前記選局チャンネルリング録画指示手段が，前記起動指示手段による指示の実行と併せてリング録画を行うことを指示する起動時リング録画指示手段をさらに備えることが考えられる。
これにより，ユーザの望むタイミングでのタイムシフト再生を実行できない事態が生じることを極力回避できる。
また，前記選局チャンネルリング録画指示手段が，所定の操作部に対するリング録画開始操作の検知に応じてリング録画を行うことを指示する開始操作検知時リング録画指示手段を備えることも考えられる。
【０００８】
また，本発明に係るテレビジョン受像機が，次の（１０）及び（１１）に示す構成要素をさらに備えることも考えられる。
（１０）所定の操作部に対する操作に応じてリング記録を行うチャンネル及び録画開始時期を設定するリング録画条件設定手段。
（１１）前記リング録画指示手段において前記リング録画条件設定手段により設定された前記チャンネル及び録画開始時期を指定して放送番組のリング録画を行うことを前記録画再生装置に対して指示する予約リング録画指示手段。
これら（１０）及び（１１）に示される構成要素を備えたテレビジョン受像機は，そのユーザが，タイムシフト再生の対象とする放送番組を予め決めている場合に好適である。例えば，ユーザが，視聴中の放送番組（即ち，前記選局チャンネルの放送番組）とは異なる特定の放送番組（いわゆる裏番組）について随時タイムシフト再生を実行させることを望む場合や，視聴を望む放送番組をその放送開始時刻よりも遅れた時刻からしか視聴できないときでもその放送番組を最初から視聴したいような場合等に好適である。
また，前記タイムシフト再生映像表示制御手段が実行する処理の具体例としては，次の（１２）又は（１３）に示す処理が考えられる。
（１２）前記タイムシフト再生映像を前記映像表示部に既に表示中の映像と併せて表示させる処理。
（１３）前記タイムシフト再生映像を前記映像表示部に既に表示中の映像から切り替えて表示させる処理。
【発明の効果】
【０００９】
本発明に係るテレビジョン受像機は，接続された外部の録画再生装置にリング録画及びタイムシフト再生を実行させることによってタイムシフト再生機能を実現するものであり，大容量の記憶手段等の部品の増加を伴わずにタイムシフト再生機能を実現することができる。
【発明を実施するための最良の形態】
【００１０】
以下添付図面を参照しながら，本発明の実施の形態について説明し，本発明の理解に供する。なお，以下の実施の形態は，本発明を具体化した一例であって，本発明の技術的範囲を限定する性格のものではない。
ここに，図１は本発明の実施形態に係るテレビジョン受像機Ｘを含むＡＶシステムＺの概略構成を表すブロック図，図２はＡＶシステムＺにおけるタイムシフト再生制御の第１の例の手順を表すフローチャート，図３はＡＶシステムＺにおけるタイムシフト再生制御の第２の例の手順を表すフローチャート，図４はＡＶシステムＺにおけるタイムシフト再生制御の第３の例の手順を表すフローチャート，図５はテレビジョン受像機Ｘにおける映像表示部の表示画面の一例を表す図である。
【００１１】
まず，図１に示すブロック図を参照しつつ，本発明の実施形態に係るテレビジョン受像機Ｘと録画再生装置Ｙとを含むＡＶシステムＺの構成について説明する。
ＡＶシステムＺは，映像表示部５を備えるテレビジョン受像機Ｘと予約録画機能及びタイムシフト再生機能を備える１台又は複数台の録画再生装置Ｙとが，ＨＤＭＩ規格に準拠した信号伝送手段であるＨＤＭＩインターフェースＷによって通信可能に構成されたシステムである。ここで，ＨＤＭＩインターフェースＷは，映像信号及び音声信号（いずれもデジタル信号）を伝送するＴＭＤＳ（Transition Minimized Differential Signaling）ライン４１と，ＨＤＭＩ規格のオプション規格であるＣＥＣ規格に準拠したＣＥＣライン４２（ＣＥＣ信号伝送ラインに相当）を含んでいる。なお，ＴＭＤＳライン４１は，複数本の信号ラインにより構成され，ＴＭＤＳライン４１及びＣＥＣライン４２は，見かけ上１本のＨＤＭＩケーブル４０として構成されている。
ＡＶシステムＺの特徴は，テレビジョン受像機Ｘが，接続された録画再生装置Ｙにリング録画及びタイムシフト再生を実行させることによってタイムシフト再生機能を実現する点にある。
【００１２】
［テレビジョン受像機Ｘ］
本発明の実施形態に係るテレビジョン受像機Ｘは，図１に示すように，チューナ１，２つのＨＤＭＩ受信部２ｘａ，２ｙａ，ＣＥＣインターフェース２ｘｂ，映像切替回路３，映像処理回路４，映像表示部５，制御回路６，リモコンインターフェース（Ｉ／Ｆ）回路７，リモコン８，サブＭＰＵ９，音声切替回路１０，音声処理回路１１，アンプ１２，スピーカ１３及び通電切替回路１４等を具備して構成されている。
【００１３】
チューナ１は，地上波放送信号やＢＳ衛星放送信号等の放送信号から，前記制御回路６により指示される放送チャンネルの信号を抽出（選局）するとともに，その抽出信号の検波によって映像信号及び音声信号を取り出し，その映像信号及び音声信号の各々を映像切替回路３及び音声切替回路１０各々へ伝送するものである。
また，ＨＤＭＩ受信部２ｘａ，２ｙａ（図中，ＨＤＭＩ−ＲＸと表記）は，ＨＤＭＩ規格に準拠した信号伝送インターフェースである（前記映像信号入力手段の一例）。このＨＤＭＩ受信部２ｘａ，２ｙａは，ＴＭＤＳライン４１を通じて，外部装置（ここでは，録画再生装置Ｙ）からベースバンド方式で映像信号及び音声信号を入力し，それらを映像切替回路３及び音声切替回路１０各々へ伝送する。
ＣＥＣインターフェース２ｘｂ（通信手段の一例）は，ＨＤＭＩ規格におけるＣＥＣ規格に準拠した信号伝送インターフェースである。このＣＥＣインターフェース２ｘｂは，ＣＥＣライン４２を通じて，外部装置（ここでは，録画再生装置Ｙ）との間で情報の送受信を行う。ＣＥＣインターフェース２ｘｂの受信情報の直接の伝送先及び送信情報の直接の供給元は，サブＭＰＵ９である。
図１に示す例では，テレビジョン受像機Ｘは，２台の録画再生装置Ｙ（外部装置）それぞれに対応する２つのＨＤＭＩ受信部２ｘａ，２ｙａを備えている。また，ＣＥＣインターフェース２ｘｂは，２台の録画再生装置Ｙに対して１つだけ設けられている。
映像切替回路３は，チューナ１及びＨＤＭＩ受信部２ｘａ，２ｙａからの映像信号を入力し，それらの映像信号のうちの任意の１つの映像信号を制御回路６からの指示に従って選択して出力するものである。
映像処理回路４は，映像切替回路３から出力された映像信号に対して各種信号処理を行うものである。
例えば，映像処理回路４は，ＯＳＤ機能やマルチ画面出力機能を備えている。
前記ＯＳＤ機能は，映像切替回路３からの映像信号に基づく映像に，制御回路６から指定された情報の映像をスーパーインポーズ（重ね合わせ）して前記映像表示部５に表示させる機能である。また，前記マルチ画面出力機能は，映像切替回路３から複数の映像信号が伝送されてきた場合に，各映像信号に基づく複数の映像（画面）を前記映像表示部５に並べて表示させる機能である。
映像表示部５は，液晶パネル及び液晶ドライバを備えた液晶表示部などにより構成され，映像処理回路４から出力される映像信号に基づく映像（即ち，視聴対象として選択された選局チャンネルの放送番組の映像）を表示するものである。
【００１４】
音声切替回路１０は，チューナ１からの音声信号及びＨＤＭＩ受信部２ｘａ，２ｙａからの音声信号が入力され，それらの音声信号のうちの任意の１つの音声信号を，制御回路６からの指示に従って音声処理回路１１に出力するものである。
音声処理回路１１は，音声切替回路１０から出力された信号に対し，イコライズ処理やＤ／Ａ変換処理等を行うものである。
アンプ１２は，音声処理回路１１による処理後の音声信号を，制御回路６からの指示に従って増幅或いは減衰させる処理（ボリューム調節処理）を行い，スピーカ１３に出力するものである。
ここで，前記チューナ１，前記映像切替回路３，前記映像処理回路４，前記映像表示部５，前記音声切替回路１０，前記音声処理回路１１及びアンプ１２は，テレビジョン放送信号の処理（選局処理，映像処理，音声処理など）に関する部品（以下，放送信号処理部品とおいう）である。
前記通電切替回路１４は，不図示の電源回路が商用電源に接続された状態において，前記サブＭＰＵ９からの制御指令に従って，本テレビジョン受像機Ｘの通電状態を「稼動状態」から「待機状態」へ，又は「待機状態」から「稼動状態」へ切り替える回路である。
ここで，前記待機状態とは，前記ＨＤＭＩインターフェースＷを構成する機器，前記リモコンインターフェース回路７及び前記サブＭＰＵ９に対する電力供給は行われているが，前記制御回路６及び前記デジタル処理部品に対する電力供給が行われていない状態である。
一方，前記稼動状態とは，前記リモコンインターフェース回路７，前記通電切替回路１４，前記制御回路６及び前記放送信号処理部品に対する電力供給が行われている状態である。
【００１５】
制御回路６は，演算手段であるＭＰＵ６ａ，そのＭＰＵ６ａによって実行される制御プログラムが予め格納される記憶手段であるＲＯＭ６ｂ（ＥＰＲＯＭ），ＭＰＵ６ａが実行する処理において読み書きされる各種情報を記憶するＥＥＰＲＯＭ６ｃ等を備え，当該テレビジョン受像機Ｘ全体を制御するものである。以下に示す制御回路６の処理や機能は，ＭＰＵ６ａがＲＯＭ６ｂに記憶されたプログラムを実行することによって実現される。
また，前記制御回路６は，チューナ１により放送信号から抽出されたＥＰＧ情報（電子番組ガイド情報）を取得し，そのＥＰＧ情報を前記ＥＥＰＲＯＭ６ｃに記憶させる。周知の通り，前記ＥＰＧ情報には，各放送番組の放送時刻（開始時刻及び終了時刻）やタイトル情報，ジャンル情報，出演者情報等が含まれる。
【００１６】
リモコン８は，当該テレビジョン受像機Ｘの動作の制御用の無線信号（例えば，赤外線信号）を出力するリモート操作器であり，不図示の操作入力部や無線信号出力回路等を備えている。
前記操作入力部は，チャンネル選択キーや音量調節キーなど，情報入力のための操作部であり，その操作内容に応じた信号が前記無線信号出力回路に伝送される。また，前記無線信号出力回路は，前記操作入力部から伝送されてくる信号（即ち，テレビジョン受像機Ｘの動作の制御信号）を，無線信号（例えば，赤外線信号）に変換し，当該リモコン８からテレビ本体側へ無線伝送するものである。
一方，リモコンインターフェース回路７は，リモコン８から伝送される無線信号（赤外線信号等）を受信し，これを電気信号に変換することにより，リモコン８から伝送される各種情報を取得するとともに，その取得情報をサブＭＰＵ９に伝送するものである。
サブＭＰＵ９は，制御回路６と，リモコンインターフェース回路７及びＣＥＣインターフェース２ｘｂとの間で情報伝送を中継する処理を実行するマイクロコンピュータである。
【００１７】
［録画再生装置Ｙ］
本発明の実施形態に係る録画再生装置Ｙは，図１に示すように，チューナ２１，録画・再生回路２２，ＨＤＤ２３（ハードディスクドライブ），ＨＤＭＩ送信部２５ａ，ＣＥＣインターフェース２５ｂ，制御回路２４，リモコンインターフェース回路２６，リモコン２７及びサブＭＰＵ２８等を具備して構成されている。
ここで，チューナ２１，リモコンインターフェース回路２６，リモコン２７，サブＭＰＵ２８は，それぞれテレビジョン受像機Ｘにおけるチューナ１，リモコンインターフェース７，リモコン８及びサブＭＰＵ９と同様のものである。
また，チューナ２１，録画・再生回路２２及びＨＤＤ２３は，テレビジョン放送信号の処理（選局処理，映像処理，音声処理，録画処理，再生処理など）に関する部品（以下，放送信号処理部品という）である。
また，録画再生装置Ｙにおける通電切替回路２９は，不図示の電源回路が商用電源に接続された状態において，前記サブＭＰＵ２８からの制御指令に従って，当該録画再生装置Ｙの通電状態を待機状態及び稼動状態のいずれかに切り替える回路である。
ここで，前記待機状態は，前記ＨＤＭＩインターフェースＷを構成する機器，前記リモコンインターフェース回路２６及び前記サブＭＰＵ２８に対する電力供給は行われているが，前記制御回路２４及び前記放送信号処理部品２１，２２，２３に対する電力供給が行なわれていない状態である。また，前記稼動状態は，前記待機状態から前記放送信号処理部品２１〜２３，前記制御回路２４及び不図示の各種モータ（駆動源）に対する電力供給を加えた状態であり，指示を受ければ直ちに録画処理や再生処理を開始することが可能な状態である。
【００１８】
ＨＤＭＩ送信部２５ａ（図中，ＨＤＭＩ−ＴＸと表記）は，ＨＤＭＩ規格に準拠した信号伝送インターフェースである。このＨＤＭＩ送信部２５ａは，ＴＭＤＳライン４１を通じて，外部装置（ここでは，テレビジョン受像機Ｘ）に対し，ベースバンド方式で映像信号及び音声信号を出力する。
ＣＥＣインターフェース２５ｂは，テレビジョン受像機ＸにおけるＣＥＣインターフェース２ｘｂと同様に，ＨＤＭＩ規格におけるＣＥＣ規格に準拠した信号伝送インターフェースである。このＣＥＣインターフェース２５ｂは，ＣＥＣライン４２を通じて，外部装置（ここでは，テレビジョン受像機Ｘ）との間で情報の送受信を行う。ＣＥＣインターフェース２５ｂの受信情報の直接の伝送先及び送信情報の直接の供給元は，サブＭＰＵ２８である。
【００１９】
録画・再生回路２２は，放送番組の録画処理及び録画番組の再生処理を実行するものである。即ち，録画・再生回路２２は，チューナ２１により抽出された番組の放送信号（映像信号及び音声信号）を圧縮符号化してＨＤＤ２３のディスク（ハードディスク）に記録する録画処理を実行する。さらに，録画・再生回路２２は，ＨＤＤ２３のディスクに録画（記録）された放送番組のデータを復号化しながらＨＤＭＩ送信部２５ａを通じて外部出力する再生処理を実行する。
また，前記録画・再生回路２２は，テレビジョン受像機Ｘからの指示に従って，最新の所定時間分（例えば，数十分〜数時間分）の放送番組の録画データを前記ＨＤＤ２３のディスクに逐次記録するリング録画処理を行いつつ，そのリング録画処理により記録された録画データに基づく再生処理を行うタイムシフト再生処理を実行する機能を備えている。そのタイムシフト再生処理により得られる再生信号（映像信号及び音声信号）は，前記ＨＤＭＩ送信部２５ａを通じてテレビジョン受像機Ｘに対して出力される。以下，タイムシフト再生処理に関してテレビジョン受像機Ｘ及び録画再生装置Ｙが実行する処理をタイムシフト再生制御という。
さらに，録画・再生回路２２は，チューナ２１により抽出された番組の放送信号から，そこに含まれるＥＰＧ情報（電子番組ガイド情報）を抽出してＨＤＤ２３に記録するＥＰＧ取得機能も備えている。
【００２０】
制御回路２４は，演算手段であるＭＰＵ２４ａ，そのＭＰＵ２４ａによって実行される制御プログラムが予め格納される記憶手段であるＲＯＭ２４ｂ（ＥＰＲＯＭ），ＭＰＵ２４ａが実行する処理において読み書きされる各種情報を記憶するＥＥＰＲＯＭ２４ｃ等を備え，当該録画再生装置Ｙ全体を制御するものである。以下に示す制御回路２４の処理や機能は，ＭＰＵ２４ａがＲＯＭ２４ｂに記憶されたプログラムを実行することによって実現される。
また，録画再生装置Ｙの制御回路２４は，録画・再生回路２２によってＨＤＤ２３のディスクに記録されたＥＰＧ情報と，同じく予めＨＤＤ２３に記録される番組予約情報とに基づいて，放送番組（映像及び音声）の予約録画を行う予約録画機能を有している。ここで，番組予約情報は，制御回路２４がリモコン２７を通じた操作入力に従って予め設定し，ＨＤＤ２３のディスクに記録する情報である。番組予約情報には，録画開始時刻，録画終了時刻，録画する番組の放送チャンネル及びタイトル等が含まれる。なお，予約録画機能は周知の機能であるので，ここでは詳細な説明は省略する。
また，制御回路２４は，ＨＤＤ２３における録画データの記録先（保存先）である１つ又は複数のフォルダ（以下，保存フォルダという）を設定するフォルダ設定機能も有している。
これにより，制御回路２４は，前記番組予約情報において録画先のフォルダが指定されている場合に，録画データをその指定されたフォルダ内に記録する。
【００２１】
［タイムシフト再生制御の第１の例］
次に，図２に示すフローチャートを参照しつつ，ＡＶシステムＺにおけるタイムシフト再生制御の第１の例の手順について説明する。
ここで，図２に示す処理は，テレビジョン受像機Ｘ及び録画再生装置Ｙがそれぞれ前記待機状態であるときに，ユーザによるリモコン８の電源ＯＮ操作（テレビジョン受像機Ｘの起動操作）がなされることによって開始されるものとする。また，以下に示すＳ１０１，Ｓ１０２，…は，テレビジョン受像機Ｘ側の処理手順（ステップ）の識別符号を，Ｓ２０１，Ｓ２０２，…は，録画再生装置Ｙ側の処理手順の識別符号を表す。
【００２２】
前記タイムシフト再生制御において，まず，テレビジョン受像機Ｘにおける前記サブＭＰＵ９が，前記リモコン８（操作部の一例）を通じて電源ＯＮ操作（起動操作）がなされたか否かを監視する（Ｓ１０１）。
さらに，前記サブＭＰＵ９は，電源ＯＮ操作がなされたことを検知した際に，外部の前記録画再生装置Ｙの通電状態を前記待機状態から前記稼動状態へ移行させる起動指示コマンドを，前記ＣＥＣインターフェース２ｘｂを通じて前記録画再生装置Ｙへ送信する（Ｓ１０２）。
さらに，前記サブＭＰＵ９は，電源ＯＮ操作がなされたことを検知した際に，前記通電切替回路１４を制御することにより，自装置の通電状態を前記待機状態（前記映像表示部５及び前記放送信号処理部品への通電を行わない状態）から前記稼動状態へ切り替える起動処理を実行する（Ｓ１０３）。
この起動処理の実行により，前記チューナ１により選局されたチャンネルの番組の映像が前記映像表示部５に表示され，同番組の音声が前記スピーカ１３により出力される。なお，起動時点において選択されるチャンネル（選局チャンネル）は，前回の停止処理の実行直前（前記稼動状態から前記待機状態への移行直前）における選局チャンネルであり，その選局チャンネルの情報は，前回の停止処理の際に前記制御回路６によって前記ＥＥＰＲＯＭ６ｃに記録された情報である。
図５（ａ）は，ステップＳ１０３の処理により，選局チャンネルの放送番組の映像ｖ０が前記映像表示部５に表示された状態の一例を模式的に表した図である。
【００２３】
一方，録画再生装置Ｙにおける前記サブＭＰＵ２８は，前記ＣＥＣインターフェース２５ｂを通じて前記起動指示コマンドが受信されるか否かを監視する（Ｓ２０１）。
そして，前記サブＭＰＵ２８は，前記起動指示コマンドの受信を検知すると，これに応じて前記通電切替回路２９を制御することにより，自装置の通電状態を前記待機状態（前記放送信号処理部品２１〜２３への通電を行わない状態）から前記稼動状態へ切り替える起動処理を実行する（Ｓ２０２）。
この起動処理の実行により，前記チューナ１により選局されたデジタル放送チャンネルの番組の録画処理（リング録画を含む）を直ちに実行可能な状態となる。
【００２４】
また，テレビジョン受像機Ｘにおいて，前記起動処理（Ｓ１０３）によって起動した前記制御回路６が，その時点での選局チャンネルとリング録画の時間長とを指定して放送番組のリング録画を行うことを予め定められた録画再生装置Ｙに対して指示するリング録画指示コマンドを，前記ＣＥＣインターフェース２ｘｂを通じて送信する（Ｓ１０４，リング録画指示手段及び前記選局チャンネルリング録画指示手段の一例）。前記リング録画の時間長は，前記制御回路６が，前記リモコン８の操作部に対する操作（リング録画時間長の設定操作）に応じて，予め前記ＥＥＰＲＯＭ６ｃに記憶させる情報である。前記リング録画の時間長は，例えば，数十分〜数時間の範囲内で設定される。
さらに，前記制御回路６が，前記リモコン８に対するタイムシフト再生実行操作，選局操作（チャンネル選択操作）及び電源ＯＦＦ操作のいずれかがなされたか否かの監視（検知）を行う（Ｓ１０５，Ｓ１１３，Ｓ１１５）。ここで，タイムシフト再生実行操作は，例えば，前記リモコン８に設けられた「タイムシフトキー」の押下操作等である。
【００２５】
一方，録画再生装置Ｙにおいて，前記起動処理（Ｓ２０２）によって起動した前記制御回路２４が，前記ＣＥＣインターフェース２５ｂ及び前記サブＭＰＵ２８を通じて前記リング録画指示コマンドが受信されたか否かを監視する（Ｓ２０３）。
そして，前記制御回路２４が，テレビジョン受像機Ｘ側から前記リング録画指示コマンドを受信したことを検知すると，前記録画・再生回路２２が，前記制御回路２４からの制御指令に従って，前記リング録画指示コマンドにより指定されたチャンネル（ここでは，テレビジョン受像機Ｘにおける選局チャンネル）の放送番組のリング録画処理を開始する（Ｓ２０４）。このリング録画処理におけるリング録画時間の長さは，前記リング録画指示コマンドにより指定された時間長である。このリング録画処理により，録画再生装置ＹのＨＤＤ２３のディスクに，指定された時間長分の録画データ（以下，リング録画データという）が記録される。また，前記制御回路２４が前記チューナ２１を制御することにより，前記リング録画指示コマンドに含まれる指定チャンネルがリング録画の対象とするチャンネルとして選局される。
その後，前記制御回路２４は，ＣＥＣインターフェース２５ｂ及びサブＭＰＵ２８を通じて，後述するタイムシフト再生実行指示コマンドがテレビジョン受像機Ｘ側から受信されるか否かを監視する（Ｓ２０５）。
【００２６】
一方，テレビジョン受像機Ｘにおいて，前記制御回路６は，リモコン８に対する前記タイムシフト再生実行操作があったことを検知した際に，録画再生装置Ｙに対し，前記リング録画処理により記録される前記リング録画データに基づくタイムシフト再生を実行しその再生信号（映像信号及び音声信号）を出力することを指示する前記タイムシフト再生実行指示コマンドを，前記ＣＥＣインターフェース２ｘｂを通じて送信する（Ｓ１０６，前記タイムシフト再生指示手段の一例）。
これに対し，録画再生装置Ｙにおける前記制御回路２４が，前記タイムシフト再生実行指示コマンドの受信を検知すると，前記録画・再生回路２２が，制御回路２４からの制御指令に従って，前記リング録画データに基づくタイムシフト再生処理を実行するとともに，その再生信号（再生映像信号及び再生音声信号）を，前記ＨＤＭＩ送信部２５ａを通じてテレビジョン受像機Ｘに対して出力する（Ｓ２０６）。その際，前記制御回路２４は，テレビジョン受像機Ｘに対し，自装置から出力した再生信号に基づく前記映像表示部５による映像表示及び前記スピーカ１３による音声出力を要求する出力要求コマンドを，前記ＣＥＣインターフェース２５ｂを通じて送信する（Ｓ２０６）。
ところで，前記タイムシフト再生実行指示コマンドには，前記リング録画データにおけるタイムシフト再生の開始位置の指定情報が含まれる。また，前記タイムシフト再生の開始位置の指定情報は，前記制御回路６が前記リモコン８に対する所定の設定操作に応じて予め設定して前記ＥＥＰＲＯＭ６ｃに記録される情報であり，例えば，前記リング録画データの最後尾の位置からリング録画開始位置までの時間を表す情報等である。
そして，録画再生装置Ｙにおける前記録画・再生回路２２は，前記タイムシフト再生実行指示コマンドにおいて指定された前記タイムシフト再生の開始位置の指定情報に従って，前記リング録画データにおけるタイムシフト再生の開始位置を特定する。
【００２７】
一方，テレビジョン受像機Ｘにおいて，前記制御回路６が，前記タイムシフト再生実行指示コマンドの送信（Ｓ１０６）の後，前記ＣＥＣインターフェース２ｘｂを通じて録画再生装置Ｙから前記出力要求コマンドが受信されるか否かを判別する（Ｓ１０７）。
そして，前記制御回路６は，前記出力要求コマンドの受信があったことを検知すると，その受信に応じて，前記ＨＤＭＩ受信部２ｘａ（又は２ｙａ）を通じて入力されるタイムシフト再生信号の出力処理を実行する（Ｓ１０８）。より具体的には，前記制御回路６は，前記映像切替回路３及び前記映像処理回路４を制御することにより，録画再生装置Ｙから前記ＨＤＭＩ受信部２ｘａ（又は２ｙａ）を通じて入力されるタイムシフト再生の映像信号に基づく映像（タイムシフト再生映像）を前記映像表示部５に表示させる（Ｓ１０８，前記タイムシフト再生映像表示制御手段の一例）。同時に，前記制御回路６は，前記音声切替回路１０を制御することにより，録画再生装置Ｙから前記ＨＤＭＩ受信部２ｘａ（又は２ｙａ）を通じて入力されるタイムシフト再生の音声信号に基づく音声を前記スピーカ１３から出力させる。
なお，本実施形態における前記制御回路６は，ステップＳ１０８において，タイムシフト再生映像を，その時点で前記映像表示部５に既に表示中の映像（即ち，テレビジョン受像機Ｘにおける選局チャンネルの放送番組の映像）と併せて表示させる。また，前記制御回路６は，ステップＳ１０７において前記出力要求コマンドの受信がないと判別すると，ステップＳ１０８〜Ｓ１１２の処理をスキップさせる。
【００２８】
図５（ｂ）は，ステップＳ１０６〜Ｓ１０８及びＳ２０５〜Ｓ２０６の処理により，タイムシフト再生映像ｖ１が，テレビジョン受像機Ｘにおける選局チャンネルの放送番組の映像ｖ０と併せて表示されている状態の画面例である。
図５（ｂ）に示すように，前記制御回路６は，ステップＳ１０８において，タイムシフト再生映像ｖ１及び選局チャンネルの放送番組の映像ｖ０に加え，各映像ｖ０，ｖ１に対応するチャンネル情報ｄ０，ｄ１と，各種の操作ボタンｂｔ１〜ｂｔ５とを併せて前記映像表示部５に表示させる。ここで，タイムシフト再生映像ｖ１に対応するチャンネル情報ｄ１は，例えば，当該テレビジョン受像機Ｘにおける選局チャンネルの情報，或いは録画再生装置Ｙから前記ＣＥＣインターフェース２ｘｂを通じて取得した情報である。なお，前記制御回路６は，前記映像処理回路４を制御することにより，これらチャンネル情報ｄ０，ｄ１や操作ボタンｂｔ１〜ｂｔ５を前記映像表示部５に表示させる。
また，前記制御回路６は，タイムシフト再生映像ｖ１の表示状態において，前記リモコン８に対するカーソル移動操作（例えば，上下左右の矢印キーの押下操作）又は通常は選局キーとして機能する数字キーの操作に応じて，各操作ボタンｂｔ１〜ｂｔ５に対する操作の有無を検知する。
そして，前記制御回路６は，操作ボタンｂｔ１〜ｂｔ５のいずれかが操作されたことを検知すると，操作された操作ボタンに対応した指示コマンドを，前記ＣＥＣインターフェース２ｘｂを通じて録画再生装置Ｙに対して送信する（Ｓ１０９，Ｓ１１０）。
【００２９】
より具体的には，テレビジョン受像機Ｘの前記制御回路６は，再生開始／停止ボタンｂｔ１の操作があったことを検知すると，その操作を検知するごとに，前記リング録画データに基づく通常速度での再生処理を実行するか，或いは静止映像の再生処理（いわゆるポーズ）を実行するかの切り替えを指示するコマンドを録画再生装置Ｙに対して送信する（Ｓ１０９）。これに対し，録画再生装置Ｙの前記録画・再生回路２２は，前記再生開始／停止ボタンｂｔ１に対応する指示コマンドを受信した場合，その指示コマンドに従って，前記リング録画データに基づく通常速度での再生処理を実行するか，或いは静止映像の再生処理（いわゆるポーズ）を実行するかの切り替える（Ｓ２０７）。
また，テレビジョン受像機Ｘの前記制御回路６は，早送りボタンｂｔ２又は早戻しボタンｂｔ３の操作があったことを検知すると，前記リング録画データに基づく早送り再生又は早戻し再生のいずれかの処理の実行を指示するコマンドを録画再生装置Ｙに対して送信する（Ｓ１０９）。これに対し，録画再生装置Ｙの前記録画・再生回路２２は，前記早送りボタンｂｔ２又は前期早戻しボタンｂｔ３に対応する指示コマンドを受信した場合，その指示コマンドに従って，前記リング録画データに基づく早送り再生又は早戻し再生のいずれの処理を実行するかを切り替える（Ｓ２０７）。
また，テレビジョン受像機Ｘの前記制御回路６は，録画開始／停止ボタンｂｔ４の操作があったことを検知すると，その操作を検知するごとに，その時点で前記リング録画データにおけるタイムシフト再生の対象となっている部分を前記リング録画データとは別に前記ＨＤＤ２３のディスクに保存する処理を開始させるか停止させるかの切り替えを指示するコマンドを録画再生装置Ｙに対して送信する（Ｓ１１０，前記タイムシフト再生データ保存指示手段の一例）。これに対し，録画再生装置Ｙの前記録画・再生回路２２は，前記録画開始／停止ボタンｂｔ４に対応する指示コマンドを受信した場合，その指示コマンドに従って，その時点で前記リング録画データにおけるタイムシフト再生の対象となっている部分を前記リング録画データとは別に前記ＨＤＤ２３のディスクに保存する処理を開始させるか停止させるかを切り替える（Ｓ２０８）。
以後，テレビジョン受像機Ｘの前記制御回路６は，終了ボタンｂｔ５の操作があったことを検知する（Ｓ１１１）まで，ステップＳ１０９，Ｓ１１０の処理を繰り返しす。また，録画再生装置Ｙの前記録画・再生回路２２は，前記終了ボタンｂｔ５に対応する指示コマンドの受信を検知する（Ｓ２０９）まで，ステップＳ２０７，Ｓ２０８の処理を繰り返す。
【００３０】
そして，テレビジョン受像機Ｘの前記制御回路６は，前記終了ボタンｂｔ５の操作があったことを検知すると（Ｓ１１１），テレビジョン受像機Ｘ側におけるタイムシフト再生の終了処理を実行するとともに，録画再生装置Ｙに対し，タイムシフト再生処理の終了を指示するコマンドを前記ＣＥＣインターフェース２ｘｂを通じて送信する（Ｓ１１２）。ここで，テレビジョン受像機Ｘ側のタイムシフト再生の終了処理は，前記映像切替回路３及び前記映像処理回路４を制御することにより，当該テレビジョン受像機Ｘにおける選局チャンネルの放送番組の内容のみを前記映像表示部５及び前記スピーカ１３を通じて出力する状態（図５（ａ）の状態）に戻す処理である。
一方，録画再生装置Ｙの前記録画・再生回路２２は，前記終了ボタンｂｔ５に対応する指示コマンドの受信を検知すると（Ｓ２０９），前記リング録画データに基づくタイムシフト再生の終了処理を行う（Ｓ２１０）。
【００３１】
また，テレビジョン受像機Ｘにおいて，前記制御回路６は，前記リモコン８を通じた前記選局操作があったことを検知すると（Ｓ１１３），その選局操作による前記選局チャンネルの変更に応じて，前記リング録画の対象とする放送番組のチャンネルを変更を指示するコマンド（リング録画チャンネル指示コマンド）を，前記ＣＥＣインターフェース２ｘｂを通じて録画再生装置Ｙに対して送信する（Ｓ１１４，前記チャンネル変更指示手段の一例）。これにより，新たな選局チャンネルの情報が録画再生装置Ｙに通知される。
これに対し，録画再生装置Ｙにおける前記制御回路２４は，テレビジョン受像機Ｘから前記ＣＥＣインターフェース２５ｂを通じて前記リング録画チャンネル指示コマンドが受信されたか否かを判別する（Ｓ２１１）。そして，前記制御回路２４は，前記リング録画チャンネル指示コマンドの受信を検知すると，そのコマンドに従って前記チューナ２１を制御することにより，前記録画・再生回路２２によるリング録画処理の対象となるチャンネルを変更する（Ｓ２１２）。これにより，テレビジョン受像機Ｘにおける選局チャンネルと，録画再生装置Ｙにおけるリング録画の対象となるチャンネルとが常に自動的に一致する状態となる。
【００３２】
また，テレビジョン受像機Ｘにおいて，前記制御回路６は，前記リモコン８を通じた前記電源ＯＦＦ操作があったことを検知すると（Ｓ１１５），録画再生装置Ｙに対し，前記稼動状態から前記待機状態への移行を指示する停止指示コマンドを前記ＣＥＣインターフェース２ｘｂを通じて送信する（Ｓ１１６）。
それに続いて，テレビジョン受像機Ｘにおける前記サブＭＰＵ９が，前記通電切替回路１４を制御することにより，当該テレビジョン受像機Ｘを前記稼動状態から前記待機状態へ移行させる停止処理を実行し（Ｓ１１７），その後，処理を前述したステップＳ１０１へ移行させる。
これに対し，録画再生装置Ｙにおける前記サブＭＰＵ２８は，テレビジョン受像機Ｘから前記ＣＥＣインターフェース２５ｂを通じて前記停止指示コマンドの受信を検知すると，前記制御回路２４を通じて前記録画・再生回路２２によるリング録画処理を終了させた後，前記通電切替回路２９を制御することにより，当該録画再生装置Ｙを前記稼動状態から前記待機状態へ移行させる停止処理を実行し（Ｓ２１４），その後，処理を前述したステップＳ２０１へ移行させる。
【００３３】
以上に示したように，テレビジョン受像機Ｘは，一般的なテレビジョン受像機が備える映像表示部５，ＣＥＣインターフェース２ｘｂ及びＨＤＭＩ受信部２ｘａ，２ｙａを有効活用することにより，接続された外部の録画再生装置Ｙにリング録画及びタイムシフト再生を実行させることによってタイムシフト再生機能を実現するものである。また，録画再生装置Ｙは，一般に，リング録画やタイムシフト再生を行うための構成（録画データを記憶する大容量のＨＤＤ２３及び録画・再生回路２２）を備えている。このように，本発明に係るテレビジョン受像機Ｘは，大容量の記憶手段等の部品の増加を伴わずにタイムシフト再生機能を実現するものである。
また，テレビジョン受像機Ｘは，前記リング録画データにおけるタイムシフト再生の対象となった部分を前記リング録画データとは別に前記ＨＤＤ２３に保存することを録画再生装置Ｙに対して指示する処理（Ｓ１１０）を実行するので，当該テレビジョン受像機Ｘのユーザは，放送番組を視聴中に，放送番組におけるお気に入りのシーンの部分について編集された録画データを録画再生装置ＹのＨＤＤ２３に記憶させることができる。
【００３４】
また，テレビジョン受像機Ｘは，選局チャンネルの放送番組（即ち，映像表示対象となっている放送番組）のリング録画を行うことを録画再生装置Ｙに対して指示し（Ｓ１０４），さらに，前記選局チャンネルの変更に応じて，前記リング録画の対象とする放送番組のチャンネルを変更することを録画再生装置Ｙに対して自動的に指示する（Ｓ１１４）。これにより，テレビジョン受像機Ｘのユーザが，視聴中の放送番組のあるシーンについてタイムシフト再生（リプレイ）を実行させることを望む場合に，リング記録の対象とするチャンネルを指定する特別な操作を行う手間が生じない。また，テレビジョン受像機Ｘにおける選局チャンネルと録画再生装置Ｙにおけるリング録画の対象となるチャンネルとが常に一致した状態となり，ユーザが視聴中の放送番組のあるシーンについてタイムシフト再生を実行させたいと思った場合に，その放送番組のリング記録がなされていないという事態の発生を回避できる。
また，テレビジョン受像機Ｘが，起動処理の際（前記映像表示部５に対する通電が開始されるとき）に，前記リング録画を実行可能な通電状態へ移行することを録画再生装置Ｙに対して指示し（Ｓ１０２），さらに，その指示の実行と併せてリング録画を行うことを指示する（Ｓ１０４）ので，ユーザの望むタイミングでのタイムシフト再生を実行できない事態が生じることを極力回避できる。
【００３５】
［タイムシフト再生制御の第２の例］
次に，図３に示すフローチャートを参照しつつ，ＡＶシステムＺにおけるタイムシフト再生制御の第２の例の手順について説明する。
ここで，図３に示す処理は，図２に示した処理の一部が異なるのみであるので，以下，図２に示した処理と異なる部分についてのみ説明する。なお，図３において，図２に示した処理と同じ処理を行うステップについては図２と同じ識別符号（Ｓ１０１等）が付されている。
図３に示すように，この第２の例では，テレビジョン受像機Ｘ側の処理において，前記第１の例（図２）におけるステップＳ１０４の処理が新たなステップＳ１０４ａ及びＳ１０４ｂの処理に置き換えられ，前記第１の例におけるステップＳ１１３及びＳ１１４の処理が新たなステップＳ１１３’及びＳ１１４’の処理に置き換えられている。なお，録画再生装置Ｙ側の処理は，この第２の例も前記第１の例と同じである。
この第２の例では，テレビジョン受像機Ｘにおける前記制御回路６は，前記起動処理（Ｓ１０３）の後，前記リモコン８（操作部）に対してリング録画開始操作がなされたか否かを判別する（Ｓ１０４ａ）。さらに，前記制御回路６は，前記リング録画開始操作があったことを検知すると，その操作の検知に応じて，リング録画を行うことを指示するコマンドを録画再生装置Ｙに対して送信する（Ｓ１０４ｂ，前記開始操作検知時リング録画指示手段の一例）。
ここで，前記リング録画開始操作には，リング録画の対象とするチャンネルを指定する操作も含まれる。例えば，前記リング録画開始操作は，前記リモコン８に設けられたリング録画キーの押下操作及びチャンネルを指定するための数字キー押下操作の組合せ操作等である。
これに対し，ステップＳ２０４において，録画再生装置Ｙにおける前記制御回路２４が前記チューナ２１を制御することにより，前記リング録画の指示コマンドに含まれる指定チャンネルがリング録画の対象とするチャンネルとして選局される。
【００３６】
また，ステップＳ１１３’において，テレビジョン受像機Ｘの前記制御回路６は，前記リモコン８に対するリング録画チャンネル変更操作がなされたか否かの監視（検知）を行う。ここで，リング録画チャンネル変更操作は，例えば，前記リング録画キーの押下操作及びチャンネルを指定するための数字キー押下操作の組合せ操作等である。
そして，前記制御回路６は，前記リモコン８を通じた前記リング録画チャンネル変更操作があったことを検知すると（Ｓ１１３’），そのチャンネル変更操作に応じて，前記リング録画の対象とする放送番組のチャンネルを変更を指示するコマンド（前記リング録画チャンネル指示コマンド）を，前記ＣＥＣインターフェース２ｘｂを通じて録画再生装置Ｙに対して送信する（Ｓ１１４’）。これにより，リング録画の対象とする新たなチャンネルの情報が録画再生装置Ｙに通知される。
これに対し，録画再生装置Ｙにおける前記制御回路２４は，前述したステップＳ２１１以降の処理を実行する。
この第２の例のように，テレビジョン受像機Ｘのユーザが，当該テレビジョン受像機Ｘにおける選局チャンネルとは独立して，リング録画及びタイムシフト再生の対象とするチャンネルを指定可能とすることも考えられる。
【００３７】
［タイムシフト再生制御の第３の例］
次に，ＡＶシステムＺにおけるタイムシフト再生制御の第３の例の手順について説明する。なお，図４に示すフローチャートは，ＡＶシステムＺにおけるタイムシフト再生制御の第３の例の手順を表す。
この第３の例では，テレビジョン受像機Ｘの前記制御回路６が，図４に示す処理が実行される前に，以下に示すリング録画条件設定処理及びその処理による設定情報を録画再生装置Ｙに対して送信する処理を実行する。
より具体的には，前記制御回路６は，前記リモコン８の操作部に対する操作に応じて，録画再生装置Ｙに実行させるリング記録の対象となるチャンネル（放送チャンネル）及びそのリング録画の実行時期（録画の開始時刻及び終了時刻）を設定する前記リング録画条件設定処理を実行する（不図示，前記リング録画条件設定手段の一例）。
さらに，前記制御回路６は，前記リング録画条件設定処理による設定情報を，録画再生装置Ｙに対し前記ＣＥＣインターフェース２ｘｂを通じて送信する。
このように，この第３の例では，前記制御回路６が，前記リング録画条件設定処理による設定情報を録画再生装置Ｙに送信することにより，リング録画の対象とするチャンネルとリング録画の実行時期とを指示する。
これに対し，録画再生装置Ｙにおける前記制御回路２４は，前記リング録画条件設定処理による設定情報を前記ＣＥＣインターフェース２５ｂを通じてテレビジョン受像機Ｘから受信し，その受信情報を前記ＨＤＤ２３のディスクに記憶させるとともに，その受信情報に含まれるリング録画の開始時刻を前記サブＭＰＵ２８が備える不揮発メモリ（不図示）に記憶させるリング録画の予約登録処理を実行する。
以上に示した処理が予め実行された上で，図４に示す処理が実行される。
【００３８】
以下，図４に示すフローチャートを参照しつつ，ＡＶシステムＺにおけるタイムシフト再生制御の第３の例の手順について説明する。
ここで，図４に示す処理は，図２に示した処理の一部が異なるのみであるので，以下，図２に示した処理と異なる部分についてのみ説明する。なお，図４において，図２に示した処理と同じ処理を行うステップについては図２と同じ識別符号（Ｓ１０１等）が付されている。
図４に示すように，この第３の例では，テレビジョン受像機Ｘ側の処理において，前記第１の例（図２）におけるステップＳ１０２，Ｓ１０４，Ｓ１１，Ｓ１１４及びＳ１１６の処理が除かれている。
また，この第３の例では，録画再生装置Ｙ側の処理において，前記第１の例におけるステップＳ２０１，Ｓ２０３，Ｓ２０４及びＳ２１３の処理が，それぞれ新たなステップＳ２０１’，Ｓ２０３’，Ｓ２０４’及びＳ２１３’の処理に置き換えられている。さらに，前記第１の例における録画再生装置Ｙ側のステップＳ２１１及びＳ２１２の処理が除かれている。
【００３９】
この第３の例では，前記待機状態である録画再生装置Ｙにおいて，前記サブＭＰＵ２８が，前記リング録画の予約登録処理によってその不揮発メモリ（不図示）に予め記憶されたリング録画の開始時刻の所定時間前（例えば，２分前程度）の時刻となったか否かを監視する（Ｓ２０１’）。
そして，前記サブＭＰＵ２８は，現在時刻が前記リング録画の開始時刻の所定時間前となったことを検知すると，前述した起動処理（Ｓ２０２）以降の処理を実行する。
また，前記起動処理（Ｓ２０２）により起動した前記制御回路２４は，ステップＳ２０３’において，前記リング録画の予約登録処理によって前記ＨＤＤ２３のディスクに予め記憶されたリング録画の開始時刻となったか否かを監視する。
そして，前記制御回路２４により，現在時刻が前記リング録画の開始時刻となったことが検知されると，前記録画・再生回路が，前記リング録画の予約登録処理による登録情報に設定されたチャンネルについて，前記リング録画処理を開始する（Ｓ２０４’）。
さらに，前記制御回路２４は，ステップＳ２１３’において，前記リング録画の予約登録処理によって前記ＨＤＤ２３のディスクに予め記憶されたリング録画の終了時刻となったか否かを監視し，その終了時刻となるまで前述したステップＳ２０５〜Ｓ２１０の処理が繰り返される。
そして，前記制御回路２４により，現在時刻が前記リング録画の終了時刻となったことが検知されると，前記サブＭＰＵ２８が，前記制御回路２４を通じて前記録画・再生回路２２によるリング録画処理を終了させた後，前記通電切替回路２９を制御することにより，当該録画再生装置Ｙを前記稼動状態から前記待機状態へ移行させる停止処理を実行し（Ｓ２１４），その後，処理を前述したステップＳ２０１’へ移行させる。
【００４０】
以上に示した第３の例は，テレビジョン受像機Ｘのユーザが，タイムシフト再生の対象とする放送番組を予め決めている場合に好適である。例えば，ユーザが，視聴中の放送番組（即ち，前記選局チャンネルの放送番組）とは異なる特定の放送番組（いわゆる裏番組）について随時タイムシフト再生を実行させることを望む場合や，視聴を望む放送番組をその放送開始時刻よりも遅れた時刻からしか視聴できないときでもその放送番組を最初から視聴したいような場合等に好適である。
【００４１】
以上に示した実施形態では，テレビジョン受像機Ｘが，録画再生装置Ｙと通信を行う手段及び録画再生装置Ｙから映像信号を入力する手段として，ＨＤＭＩインターフェース（前記ＣＥＣインターフェース２５ｂ及びＨＤＭＩ受信部２ｘａ，２ｙａ）を備えるが，他装置との通信手段及び映像信号の入力手段として他の通信インターフェース及び映像信号入力インターフェースを備えるものも考えられる。
また，前述した実施形態では，タイムシフト再生映像を前記映像表示部５に表示させる（Ｓ１０８）際に，そのタイムシフト再生映像ｖ１を前記映像表示部５に既に表示中の映像ｖ０と併せて表示させる（図５（ｂ）参照）例を示したが，前記タイムシフト再生映像ｖ１を前記映像表示部５に既に表示中の映像ｖ０から切り替えて表示させることも考えられる。
【産業上の利用可能性】
【００４２】
本発明は，テレビジョン受像機に利用可能である。
【図面の簡単な説明】
【００４３】
【図１】本発明の実施形態に係るテレビジョン受像機Ｘを含むＡＶシステムＺの概略構成を表すブロック図。
【図２】ＡＶシステムＺにおけるタイムシフト再生制御の第１の例の手順を表すフローチャート。
【図３】ＡＶシステムＺにおけるタイムシフト再生制御の第２の例の手順を表すフローチャート。
【図４】ＡＶシステムＺにおけるタイムシフト再生制御の第３の例の手順を表すフローチャート。
【図５】テレビジョン受像機Ｘにおける映像表示部の表示画面の一例を表す図。
【符号の説明】
【００４４】
Ｘ    ：テレビジョン受像機
Ｙ    ：録画再生装置
Ｚ    ：ＡＶシステム
１，２１：チューナ
２ｘａ，２ｙａ：ＨＤＭＩ受信部
２ｘｂ，２５ｂ：ＣＥＣインターフェース
３    ：映像切替回路
４    ：映像処理回路
５    ：映像表示部
６，２４：制御回路
７，２６：リモコンインターフェース回路
８，２７：リモコン
９，２８：サブＭＰＵ
１０  ：音声切替回路
１１  ：音声処理回路
１２  ：アンプ
１３  ：スピーカ
１４，２９：通電切替回路
２２  ：録画・再生回路
２３  ：ＨＤＤ
２５ａ：ＨＤＭＩ送信部
４０  ：ＨＤＭＩケーブル
４１  ：ＴＭＤＳライン
４２  ：ＣＥＣライン
Ｓ１０１，Ｓ１０２，〜：処理手順（ステップ）
【図１】
2009027533.tif 000003
【図２】
2009027533.tif 000004
【図３】
2009027533.tif 000005
【図４】
2009027533.tif 000006
【図５】
2009027533.tif 000007